(57)【要約】【課題】電子メールを利用してチャット機能を実現する携帯電話機などの携帯通信端末の利便性を向上させることを目的とする。【解決手段】チャットに参加するメンバーを登録メンバーとして記憶するメンバー記憶部７と、チャット画面を表示し、チャット画面の表示中に登録メンバーから受信した電子メールの本文をチャットメッセージとしてチャット画面に表示し、チャット画面の表示中に作成されたチャットメッセージを電子メールとして登録メンバーに対し出力するチャット処理部５により構成される。メンバー記憶部７は、メンバー画像ｍｐに対応付けて登録メンバーを記憶する。チャット処理部５は、チャットメッセージの送信元に対応するメンバー画像ｍｐを当該チャットメッセージに対応付けてチャット画面に表示する。【選択図】          図１
2005018423.tif 000002
【特許請求の範囲】
【請求項１】
チャットに参加するメンバーを登録メンバーとして記憶するメンバー記憶手段と、
チャット画面を表示し、チャット画面の表示中に登録メンバーから受信した電子メールの本文をチャットメッセージとしてチャット画面に表示し、チャット画面の表示中に作成されたチャットメッセージを電子メールとして登録メンバーに対し出力するチャット処理手段を備え、
上記メンバー記憶手段は、画像に対応付けて登録メンバーを記憶し、
上記チャット処理手段は、チャットメッセージの送信元に対応する画像を当該チャットメッセージに対応付けてチャット画面に表示することを特徴とする携帯通信端末。
【請求項２】
メンバー登録を行うメンバー登録手段と、
電話番号に対応付けてメールアドレス及び画像を記憶する電話帳記憶手段と、
着信画面を表示し、発呼者の電話番号に基づいて上記電話帳記憶手段から画像を読み出して着信画面に表示する着信処理手段を備え、
上記メンバー登録手段は、メンバー登録において登録メンバーに対応するメールアドレスを上記メンバー記憶手段に記憶させる際に、上記電話帳記憶手段に記憶された画像に対応付けてメールアドレスを上記メンバー記憶手段に記憶させることを特徴とする請求項１に記載の携帯通信端末。
【請求項３】
ユーザの操作入力に基づいて、チャット画面に表示されるチャットメッセージの文字サイズを変更する文字サイズ変更手段と、
チャット画面に表示される画像の画像サイズをチャットメッセージの文字サイズに対応した画像サイズに変更する画像サイズ変更手段を備えたことを特徴とする請求項１に記載の携帯通信端末。
【請求項４】
上記チャット処理手段は、チャットメッセージの左側に当該チャットメッセージに対応する画像を表示し、このチャットメッセージのうち所定の行数を超える部分を画像の下に回り込ませて表示することを特徴とする請求項１に記載の携帯通信端末。
【請求項５】
ユーザの操作入力に基づいて、チャット画面に表示されるチャットメッセージの文字サイズを変更する文字サイズ変更手段を備え、
上記チャット処理手段は、チャットメッセージの左側に当該チャットメッセージに対応する画像を表示し、チャットメッセージの文字サイズに対応してチャットメッセージの表示可能な行数を変更することを特徴とする請求項１に記載の携帯通信端末。
【発明の詳細な説明】
【０００１】
【発明の属する技術分野】
本発明は、携帯通信端末に係り、さらに詳しくは、電子メールを利用してチャット機能を実現する携帯電話機などの携帯通信端末の改良に関する。
【０００２】
【従来の技術】
最近では、ほとんどの携帯電話機において電子メールの送受信を行うことができる。このような携帯電話機の電子メール送受信機能を利用して、擬似チャット機能を実現している携帯電話機が従来からあった（例えば、特許文献１）。チャットとは、２以上の通信端末間において、文字を用いて概ねリアルタイムで会話を行う通信形態である。
【０００３】
携帯電話機宛の電子メールは、一旦、通信事業者（キャリア）のメールセンターに設置されたメールサーバに蓄積される。このメールサーバは、電子メールが到達した時点で、その宛先である携帯電話機に対しメール受信通知を行っている。このメール受信通知を受け取った携帯電話機は、直ちにメールセンターから電子メールの受信を開始する。つまり、携帯電話機の場合、電波状態が良好であれば、リアルタイムに準じたスピードで電子メールを受信することができる。
【０００４】
従って、携帯電話機では、通信事業者がチャット機能実現のための特別なサービスを提供しなくても、通常どおりの電子メール送受信機能を利用して、準リアルタイムのチャット機能を実現することができる。つまり、携帯電話機内部の処理のみによって擬似的にチャット機能を実現している。
【０００５】
この様な擬似チャット機能を有する携帯電話機では、チャットに参加するメンバーのメールアドレスを予め登録しておくことにより、登録メンバーとの間で電子メールの送受信が行われる。そして、チャット画面の表示中に登録メンバーからの電子メールを受信すると、その電子メールの本文がチャットメッセージとしてチャット画面上に時系列に表示され、２人以上のメンバー間で文字による会話が成立する。
【０００６】
メンバー登録では、メールアドレスの登録とともに、メールアドレスに対応するメンバーの名前が登録され、チャット画面には、チャットメッセージの送信元メールアドレスに対応する登録メンバーの名前が表示される。このメンバー名の表示は、チャットメッセージに対応付けて行われ、例えば、メッセージの最初に当該チャットメッセージの送信元の名前が表示される。
【０００７】
図１２は、従来の携帯電話機におけるチャット画面の表示の一例を示した図である。チャット中に送受信された各チャットメッセージがチャット画面内に表示され、これらのチャットメッセージには、対応するメンバー名がメッセージの最初に表示されている。この様にメンバー名を表示することにより、チャットメッセージが誰の発言であるかを識別することができる。
【０００８】
【特許文献１】
特開２００２−１４９５７８号公報
【特許文献２】
特開２００２−２０７４９３号公報
【特許文献３】
特開２０００−２５３１１１号公報
【０００９】
【発明が解決しようとする課題】
上述した従来の携帯電話機では、チャットメッセージが誰の発言であるかをユーザが識別しづらいという問題があった。すなわち、携帯性を高めるために小型化が要求される携帯電話機にあっては、表示画面が小型のものに限られる。このため、チャットメッセージに対応付けてチャット画面に文字で表示されるメンバー名が小さくて見づらかった。また、チャット画面内に表示可能な文字数も限られているので、チャット画面に表示されるメンバー名はフルネームではなく、名前の一部分、例えば、姓のみとなっている。このため、登録メンバー内に同姓のメンバーがいる場合には、当該メンバーからのチャットメッセージの識別が困難であった。
【００１０】
本発明は、上記の事情に鑑みてなされたものであり、電子メールを利用してチャット機能を実現する携帯通信端末の利便性を向上させることを目的とする。特に、チャットメッセージが誰の発言であるかをユーザが容易に識別することができる携帯通信端末を提供することを目的とする。
【００１１】
【課題を解決するための手段】
本発明による携帯通信端末は、チャットに参加するメンバーを登録メンバーとして記憶するメンバー記憶手段と、チャット画面を表示し、チャット画面の表示中に登録メンバーから受信した電子メールの本文をチャットメッセージとしてチャット画面に表示し、チャット画面の表示中に作成されたチャットメッセージを電子メールとして登録メンバーに対し出力するチャット処理手段により構成される。上記メンバー記憶手段は、画像に対応付けて登録メンバーを記憶する。上記チャット処理手段は、チャットメッセージの送信元に対応する画像を当該チャットメッセージに対応付けてチャット画面に表示する。
【００１２】
この様な構成によれば、画像に対応付けて登録メンバーをメンバー記憶手段に記憶させることにより、チャット処理手段は、画像をチャットメッセージに対応付けてチャット画面に表示することができる。すなわち、画像に対応付けて登録メンバーが記憶されるので、チャット処理手段は、チャットメッセージの送信元である登録メンバーを判別し、チャットメッセージに対応する画像を当該チャットメッセージに対応付けてチャット画面に表示することができる。
【００１３】
また、本発明による携帯通信端末は、上記構成に加え、メンバー登録を行うメンバー登録手段と、電話番号に対応付けてメールアドレス及び画像を記憶する電話帳記憶手段と、着信画面を表示し、発呼者の電話番号に基づいて上記電話帳記憶手段から画像を読み出して着信画面に表示する着信処理手段を備え、上記メンバー登録手段は、メンバー登録において登録メンバーに対応するメールアドレスを上記メンバー記憶手段に記憶させる際に、上記電話帳記憶手段に記憶された画像に対応付けてメールアドレスを上記メンバー記憶手段に記憶させるように構成される。
【００１４】
この様な構成によれば、電話番号に対応付けてメールアドレス及び画像が電話帳記憶手段に記憶されているので、登録メンバーのメールアドレスを入力することにより、メンバー登録手段は、電話帳記憶手段に記憶された画像に対応付けてメールアドレスをメンバー記憶手段に記憶させることができる。つまり、メンバー登録を行うために登録メンバーに対応するメールアドレスを入力すれば、このメールアドレスに基づいて電話帳記憶手段から画像が自動的に読み出される。これによって、メンバー登録手段は、読み出した画像を当該メールアドレスに対応付けてメンバー記憶手段に登録することができる。
【００１５】
また、本発明による携帯通信端末は、上記構成に加え、ユーザの操作入力に基づいて、チャット画面に表示されるチャットメッセージの文字サイズを変更する文字サイズ変更手段と、チャット画面に表示される画像の画像サイズをチャットメッセージの文字サイズに対応した画像サイズに変更する画像サイズ変更手段を備えて構成される。
【００１６】
この様な構成によれば、チャット画面に表示されるチャットメッセージの文字サイズに対応して、チャット画面に表示される画像の画像サイズが変更される。従って、例えば、文字サイズを小さくした場合に、文字サイズに応じて画像サイズも小さくすることができる。
【００１７】
また、本発明による携帯通信端末は、上記構成に加え、上記チャット処理手段が、チャットメッセージの左側に当該チャットメッセージに対応する画像を表示し、このチャットメッセージのうち所定の行数を超える部分を画像の下に回り込ませて表示するように構成される。
【００１８】
この様な構成によれば、チャットメッセージのうち所定の行数を超える部分を画像の下に回り込ませて表示することができる。すなわち、チャット処理手段は、チャット画面に表示するチャットメッセージの行数を判別し、この行数が所定の行数を超える場合に、チャットメッセージの一部分を当該チャットメッセージに対応する画像の下に回り込ませて表示することができる。
【００１９】
また、本発明による携帯通信端末は、上記構成に加え、ユーザの操作入力に基づいて、チャット画面に表示されるチャットメッセージの文字サイズを変更する文字サイズ変更手段を備え、上記チャット処理手段は、チャットメッセージの左側に当該チャットメッセージに対応する画像を表示し、チャットメッセージの文字サイズに対応してチャットメッセージの表示可能な行数を変更するように構成される。
【００２０】
この様な構成によれば、チャット画面に表示されるチャットメッセージの文字サイズに対応して、チャットメッセージの表示可能な行数が変更される。従って、例えば、文字サイズを小さくした場合に、文字サイズに応じて表示可能な行数を多くすることができる。
【００２１】
【発明の実施の形態】
実施の形態１．
図１は、本発明の実施の形態１による携帯電話機の要部の一構成例を示したブロック図である。この携帯電話機１は、無線部２、メール送受信部３、メール記憶部４、チャット処理部５、メンバー登録部６、メンバー記憶部７、電話帳記憶部８、着信処理部９及びデフォルト画像記憶部１０により構成される。
【００２２】
無線部２は、アンテナを介して無線基地局（不図示）との間で電波の送受信を行っている。メール送受信部３は、電子メールを送信するためのメール送信部３ａと、電子メールを受信するためのメール受信部３ｂからなる。メール記憶部４は、電子メールｅｍを格納する記憶手段であり、受信済みの電子メール、送信済みの電子メール、下書きの電子メールなどが格納されている。
【００２３】
通信事業者のメールサーバ（不図示）が、宛先を携帯電話機１とする電子メールを受信した場合、無線部２は無線基地局からメール受信通知を受信する。このメール受信通知を受信した場合、メール受信部３ｂは、無線部２を介してメールサーバから電子メールを取得する。メール受信部３ｂは、受信した電子メールをメール記憶部４に格納するとともに、電子メールを受信したことをチャット処理部５へ通知する。また、メール送信部３ａは、チャット処理部５においてユーザが入力したチャットメッセージを電子メールとして各登録メンバーへ送信する。
【００２４】
チャット処理部５は、チャット画面を表示し、チャット画面の表示中に送受信されたチャットメール（チャットメッセージを含む電子メール）をチャット画面内に時系列順に表示している。このチャット画面には、少なくとも本文を含む電子メールの詳細情報が表示される。電子メールの本文、すなわち、チャットメッセージの表示では、登録メンバーに対応付けられた画像（メンバー画像）及び登録メンバーの名前が、チャットメッセージに対応付けて表示される。
【００２５】
例えば、チャット画面におけるチャットメッセージの表示領域内で、右側にチャットメッセージが表示され、各チャットメッセージの左側に当該チャットメッセージに対応するメンバー画像が表示される。チャットメッセージごとに表示される各メンバー画像の画像サイズは、すべて同一サイズとなっている。また、メンバー画像ごとに表示されるチャットメッセージの先頭には、当該チャットメッセージに対応するメンバー名の一部分が付加される。メンバー画像が登録メンバーに対応付けられており、チャットメッセージごとにメンバー画像を表示することができるので、ユーザは、チャットメッセージが誰の発言であるかを容易に識別することができる。
【００２６】
チャット画面表示中は、受信メールの送信元に基づいて、当該電子メールがチャットメールであるかが判別される。つまり、チャット中に登録メンバーから受信した電子メールの本文がチャットメッセージとしてチャット画面に表示される。一方、チャット中にユーザによって作成されたチャットメッセージは、電子メールとして各登録メンバーに対し出力される。
【００２７】
電話帳記憶部８は、複数の電話番号ｔｎを記憶したデータベースであり、各電話番号ｔｎに対応付けてメールアドレスｍａ、画像ｐｃ及び名前などの電話帳データが格納されている。電話番号ｔｎに対応付けて記憶させる各画像ｐｃは、着信時の呼出し表示に用いられる発呼者の特定が可能な画像、すなわち、ピクチャーコール用画像である。例えば、携帯電話機１に搭載されるカメラで予め撮影しておいた発呼者の画像、通常は、顔画像が用いられる。なお、電話帳記憶部８に記憶されるメールアドレスｍａは、電話番号ｔｎを介して画像ｐｃに対応付けられる。
【００２８】
着信処理部９は、着信画面を表示し、発呼者に対応する画像の表示を行っている。着信表示は、無線部２を介して受信した着信信号から発呼者の電話番号を判別することにより行われ、この電話番号に基づいて電話帳記憶部８から画像ｐｃが読み出されて着信画面に表示される。つまり、ユーザは、着信時に着信画面に表示される画像ｐｃを見れば、発呼者に対応する画像ｐｃなので、誰から電話がかかってきているのかを容易に識別することができる。この画像ｐｃが、メンバー記憶部７に登録され、チャット画面の表示に用いられる。
【００２９】
メンバー登録部６は、ユーザの操作入力に基づいてチャットに参加するメンバーの登録処理を行っている。メンバー登録は、メールアドレスをユーザが直接入力するか、あるいは、電話帳記憶部８に記憶されているメールアドレスｍａをユーザが選択指定することにより行われる。この様にして、チャットに参加させるメンバーに対応するメールアドレスが入力されるごとに、メールアドレスがメンバー記憶部７に記憶される。
【００３０】
また、登録メンバーのメールアドレスをメンバー記憶部７に記憶させるのに伴い、メンバー登録部６により電話帳記憶部８から画像ｐｃ及び名前が読み出される。これらの画像ｐｃや名前は、当該メールアドレスに基づいて読み出され、メンバー情報としてメンバー記憶部７に記憶される。特に、読み出した画像ｐｃは、メンバー画像ｍｐとしてメールアドレスｍａに対応付けて記憶される。つまり、メンバー登録において、メールアドレスが入力されると、メンバー登録部６は電話帳記憶部８を検索し、当該メールアドレスに対応するメンバー情報がメールアドレスとともに自動的にメンバー記憶部７に格納される。
【００３１】
ここでは、入力されたメールアドレスに対応する画像が電話帳記憶部８に記憶されていなかった場合、デフォルト画像記憶部１０に記憶されているデフォルト画像がメンバー記憶部７に登録されるものとする。デフォルト画像は、登録メンバーに無関係な画像であり、予め用意されたダミー用の画像データが用いられる。
【００３２】
メンバー記憶部７は、チャットに参加するメンバーを登録メンバー（チャットメンバー）として記憶する記憶手段である。このメンバー記憶部７には、各登録メンバーのメールアドレスｍａとともに、メールアドレスｍａに対応付けてメンバー情報、すなわち、登録メンバーの名前及び登録メンバーに対応付けられたメンバー画像ｍｐが格納されている。チャット処理部５は、このメンバー記憶部７に保持されているメールアドレスｍａに基づいて、登録メンバーを判別する。
【００３３】
図２は、図１の携帯電話機におけるチャット画面の表示の一例を示した図である。本実施の形態の携帯電話機１では、チャットメールの送受信が行われた際に、これらのチャットメールの本文がチャットメッセージとしてメンバー画像ｍｐ１〜ｍｐ４とともに時系列順にチャット画面Ｄ１内に表示される。チャットメッセージに対応付けてメンバー画像ｍｐ１〜ｍｐ４を表示することによって、ユーザは、チャットメッセージが誰の発言であるかを容易に識別することができる。
【００３４】
このチャット画面Ｄ１は、携帯電話機１に搭載される液晶表示装置における表示画面であり、ピクト表示部１１、メッセージ表示部１２及びＳＷキー表示部１３により構成される。
【００３５】
ピクト表示部１１は、電波受信状態や電池残量などの携帯電話機１の動作状態がピクト（ｐｉｃｔｏｇｒａｐｈ：絵文字）として常時表示される領域である。メッセージ表示部１２は、チャット中に送受信されたチャットメッセージをメンバー画像ｍｐ１〜ｍｐ４とともに表示する領域であり、ユーザの操作によってスクロールすることができる。ＳＷキー表示部１３は、動作状態に応じて異なる機能が割り当てられるＳＷ（ｓｏｆｔｗａｒｅ）キーについて、それぞれに割り当てられた機能を表示する領域である。
【００３６】
メッセージ表示部１２内の右側部分１５にチャットメッセージが表示され、左側部分１４に当該チャットメッセージに対応するメンバー画像ｍｐ１〜ｍｐ４が表示されている。各メンバー画像ｍｐ１〜ｍｐ４の右側に表示されるチャットメッセージには、それぞれ先頭にメンバー名の一部分（例えば、姓のみ）が付加され、メッセージの途中で改行されているか、あるいは、右側部分１５の左右のスペースで決まる文字数を超える場合には、行を改めて表示される。
【００３７】
なお、チャット画面Ｄ１に表示されているメンバー画像ｍｐ１〜ｍｐ４のうち、メンバー画像ｍｐ３については、チャットメッセージの送信元に対応するメンバーの画像が未登録であるため、デフォルト画像となっている。また、この様なチャット画面Ｄ１において、ユーザがサブメニュー・キーを操作すると、チャットメールに関する各種機能の選択を行うためのサブメニューが表示される。
【００３８】
図３は、ユーザがメニューの選択操作を行ってメンバー登録を行う際の画面表示の一例を示した図である。本実施の形態の携帯電話機１では、チャット画面の表示中におけるキー操作によって、メンバー登録を行うことができる。
【００３９】
図３（ａ）には、ユーザがキー操作を行ってサブメニューＭ１を表示させたときの表示画面が示されている。ユーザが移動キーを操作すれば当該メニュー内でフォーカスｆｃが移動し、「メンバー設定」にフォーカスｆｃを当てた状態で決定キーを操作すれば、メンバー登録画面Ｄ２を表示させることができる。
【００４０】
図３（ｂ）には、サブメニューＭ１の「メンバー設定」を選択決定した直後の表示画面が示されている。このメンバー登録画面Ｄ２は、予め登録されている登録メンバーの一覧表示画面である。すなわち、登録済みのメンバーごとに、メールアドレスに対応付けてメンバー情報（メンバー画像及びメンバー名）が一覧表示されている。メンバー登録画面Ｄ２において更にサブメニュー・キーを操作することにより、メンバーの新規登録、登録内容の編集及び登録の削除などのメンバー設定における各種機能の選択画面を表示させることができる。
【００４１】
メンバーの新規登録を操作選択すれば、直接入力や電話帳入力などのアドレス入力方法の選択画面を表示させることができる。直接入力を操作選択し、ユーザが登録したいメンバーのメールアドレスを直接入力した場合、メンバー登録部６が電話帳記憶部８を検索し、このメールアドレスに対応する画像が記憶されているか否かを判別する。画像が記憶されていれば、この画像がメンバー画像としてメールアドレスとともにメンバー記憶部７に登録される。一方、このメールアドレスが電話帳記憶部８に記憶されていないか、あるいは、メールアドレスは記憶されていても対応する画像が電話帳記憶部８に記憶されていない場合には、デフォルト画像記憶部１０に記憶されているデフォルト画像がメンバー画像として登録される。この場合、メンバー名（ニックネームなどであっても良い）はユーザの操作入力により登録することができる。
【００４２】
図４のステップＳ１〜Ｓ４は、図１の携帯電話機におけるメール受信時の動作の一例を示したフローチャートである。電子メールを受信した場合、まず、メール受信部３ｂがメール記億部４に受信メールを格納する（ステップＳ１）。また、電子メールを受信したことが、メール受信部３ｂからチャット処理部５へ通知される。
【００４３】
このとき、チャットモード中でなければ、メール受信時の処理を終了する（ステップＳ２）。一方、動作モードがチャットモード、すなわち、表示画面にチャット画面Ｄ１が表示された状態であれば、チャット処理部５は、受信メールの送信元が登録メンバーであるか否かを判別し、登録メンバーでなければ処理を終了する（ステップＳ３）。
【００４４】
チャット処理部５は、受信メールの送信元が登録メンバーであれば、この受信メールの本文をチャット画面Ｄ１内のチャットメッセージに追加する。このとき、当該受信メールに対応するメンバー画像及びメンバー名がメンバー記憶部７から読み出され、チャットメッセージとともに表示される（ステップＳ４）。この様にして、チャット中に登録メンバーから電子メールが受信されると、順次にメッセージがメンバー画像とともに追加されていく。
【００４５】
図５のステップＳ１１〜Ｓ１６は、図１の携帯電話機におけるメンバー登録時の動作の一例を示したフローチャートである。チャットに参加させたいメンバーを登録する場合、まず、ユーザは、このメンバーのメールアドレスを入力する（ステップＳ１１）。メンバー登録部６は、メールアドレスに基づいて電話帳記憶部８を検索し、電話帳記憶部８に当該メールアドレスが記憶されているか否かを判別する（ステップＳ１２，Ｓ１３）。
【００４６】
このとき、当該メールアドレスが電話帳記憶部８に記憶されていなければ、メンバー登録部６は、デフォルト画像記憶部１０に記憶されているデフォルト画像をメンバー画像ｍｐとしてメールアドレスとともにメンバー記憶部７に格納する（ステップＳ１６）。一方、当該メールアドレスが電話帳記憶部８に記憶されている場合には、更にこのメールアドレスに対応する画像が電話帳記憶部８に記憶されているか否かが判別され（ステップＳ１４）、画像が記憶されていなければデフォルト画像がメールアドレスとともにメンバー記憶部７に格納される
【００４７】
メンバー登録部６は、当該メールアドレスに対応する画像が電話帳記憶部８に記憶されていれば、この画像をメンバー画像ｍｐとしてメールアドレスとともにメンバー記憶部７に格納する（ステップＳ１５）。
【００４８】
本実施の形態によれば、登録メンバーに対応付けられたメンバー画像ｍｐがチャットメッセージに対応付けてチャット画面Ｄ１に表示されるので、ユーザは、チャットメッセージが誰の発言であるかを容易に識別することができる。特に、小型の表示画面であっても画像で登録メンバーが表示されるので、容易に見分けることができる。
【００４９】
また、メンバー登録時には、登録したいメンバーのメールアドレスを入力すれば、電話帳記憶部８から画像が読み出されて自動的に登録されるので、ユーザ自身がメンバー登録ごとに電話帳記憶部８を検索して画像を選択指定する必要がない。従って、メンバー登録時の手間が省かれ利便性を向上させることができる。また、ピクチャーコール用として電話帳記憶部８に予め記憶されている画像がメンバー画像として登録され、この画像がチャット画面の表示に用いられるので、チャット画面表示のための専用の画像を新たに用意する必要がなく、携帯電話機１の構成を簡素化することができる。
【００５０】
なお、本実施の形態では、メールアドレスを直接入力するか、あるいは、電話帳記憶部８に記憶されているメールアドレスを選択指定することにより、メンバー登録が行われる場合の例について説明したが、本発明は、これに限られるものではない。例えば、複数の相手に対して電子メールを一斉に送信するために、複数のメールアドレスがメーリングリストなどとして予め記憶されていれば、この様なメールアドレスのデータベースをメンバー登録に用いるものであっても良い。この場合、メンバー登録において、当該データベースがユーザにより選択指定されれば、このデータベースに格納されている複数のメールアドレスが一括してメンバー登録される。この様に構成すれば、チャットに参加させたいメンバーを既存のデータベースを用いて一括登録することができる。
【００５１】
上記データベースに基づく一括メンバー登録において、登録先のメンバー記憶部７に既にメールアドレスなどのデータがある場合、これらのデータの消去後に当該データベースの全てのメールアドレスがメンバー登録されるようにするのが望ましい。この様にすれば、上記データベースに記憶されているメールアドレスのみがメンバー登録されるので、当該データベースに記憶されていないメンバーの登録を削除する手間を省くことができる。
【００５２】
実施の形態２．
図６は、本発明の実施の形態２による携帯電話機の要部の一構成例を示したブロック図である。本実施の形態の携帯電話機２０は、図１の場合（実施の形態１）と比較すれば、キー入力部２１、文字サイズ変更部２２及び画像サイズ変更部２３を備える点が異なっている。この携帯電話機２０では、チャット画面に表示されるチャットメッセージの文字サイズを変更することができ、この文字サイズの変更に伴って、チャット画面に表示されるメンバー画像の画像サイズが変更される。
【００５３】
文字サイズ変更部２２は、チャット画面に表示されるメッセージの文字サイズの変更処理を行っている。文字サイズの変更は、サイズ変更のための制御信号をチャット処理部５ａへ出力することにより行われ、チャット画面のメッセージ表示領域に表示される文字、すなわち、チャットメッセージやメンバー名などの文字サイズが所定の文字サイズに変更される。この制御信号は、キー入力部２１におけるユーザの操作入力に基づいて生成される。また、制御信号を出力するのに伴い、文字サイズ変更部２２は、画像サイズ変更部２３へ文字サイズ変更の通知を行う。
【００５４】
ここでは、文字サイズの変更として、標準サイズと、縮小サイズとが択一的に選択可能であるものとし、ユーザが縮小サイズを選択指定した場合、標準サイズに比べ表示される文字のフォントサイズが小さくなる。
【００５５】
画像サイズ変更部２３は、文字サイズ変更部２２からの通知に基づいて、チャット画面に表示されるメンバー画像の画像サイズの変更処理を行っている。画像サイズの変更は、チャット画面に表示されるチャットメッセージの文字サイズの変更に対応して行われ、サイズ変更のための制御信号がチャット処理部５ａへ出力される。この制御信号により、チャット画面のメッセージ表示領域にチャットメッセージに対応付けて表示されるメンバー画像の画像サイズが所定の画像サイズに変更される。
【００５６】
例えば、チャット画面に表示されるチャットメッセージやメンバー名などの文字のフォントサイズが縮小サイズに変更された場合、メンバー画像の画像サイズもこのフォントサイズに応じた画像サイズに縮小することができる。
【００５７】
チャット処理部５ａは、文字サイズ変更部２２及び画像サイズ変更部２３からの制御信号に基づいて、チャット画面に表示するチャットメッセージ及びメンバー画像のサイズ変更を行っている。つまり、ユーザの操作入力によって、チャット画面に表示されるチャットメッセージの文字サイズを変更することができ、この文字サイズの変更に応じてチャット画面に表示されるメンバー画像の画像サイズが変更される。
【００５８】
図７は、図６の携帯電話機における文字サイズの変更に伴うチャット画面の表示の一例を示した状態遷移図である。本実施の形態の携帯電話機２０では、チャット画面に表示されるチャットメッセージ及びメンバー名などの文字サイズを標準サイズ及び縮小サイズのいずれかに切替えることができる。また、文字サイズの変更に伴って、チャット画面に表示されるメンバー画像の画像サイズが文字サイズに対応した画像サイズに変更される。
【００５９】
図７（ａ）は、図２に示したチャット画面Ｄ１と同じである。チャット画面Ｄ１のメッセージ表示領域内に表示されているチャットメッセージ及びメンバー名などの文字サイズは、標準サイズとなっている。このチャット画面Ｄ１において、ユーザがサブメニュー・キーを操作すると、サブメニューが表示される。
【００６０】
図７（ｂ）には、ユーザがキー操作を行ってサブメニューＭ２を表示させたときの表示画面が示されている。ユーザが移動キーを操作すれば当該メニュー内でフォーカスが移動し、「文字サイズ切替」にフォーカスを当てた状態で決定キーを操作すれば、文字サイズが縮小サイズに変更されたチャット画面を表示することができる。図７（ｃ）には、この様にして、文字サイズが縮小された後のチャット画面Ｄ３が示されている。
【００６１】
本実施の形態によれば、チャット画面に表示される文字の文字サイズを変更することができるので、メッセージ表示領域内において表示可能な文字数を変更することができる。特に、文字サイズを縮小することによって、チャット画面に同時に表示できる異なるチャットメッセージの数を増やすことができる。そして、チャット画面に表示されるメンバー画像の画像サイズも文字サイズに合わせて自動的に縮小されるので、メッセージ表示領域内に無駄なスペースを生じさせることなく、チャットメッセージの表示を行うことができる。
【００６２】
実施の形態３．
図８は、本発明の実施の形態３による携帯電話機におけるチャット画面の表示の一例を示した図である。本実施の形態では、チャット画面Ｄ４に表示されるチャットメッセージに対して回り込み処理が行われる。このチャットメッセージに対する回り込み処理は、チャット処理部５により行われ、メンバー画像ｍｐ５の右側に表示されるチャットメッセージ３１のうち、所定の行数を超える部分３２がメンバー画像ｍｐ５の下に回り込ませて表示される。例えば、メンバー画像の上下方向の高さに合わせてチャットメッセージが順次に表示され、この上下方向の高さからはみ出したメッセージ部分に対してメンバー画像の下に回り込ませる回り込み処理が行われる。その他の構成は、図１の携帯電話機１（実施の形態１）と同様である。
【００６３】
図９は、図１の携帯電話機におけるチャット画面の表示の一例を示した図である。実施の形態１では、チャット画面Ｄ５におけるメンバー画像ｍｐ５の右側に表示されるチャットメッセージ（メンバー名を含む）４１について、各行の先頭を揃えて表示される。このため、チャットメッセージが所定の行数（ここでは、２行）を超える場合には、当該チャットメッセージに対応するメンバー画像の下に無駄なスペースが生じていた。これに対し、本実施の形態では、無駄なスペースが生じないように所定の行数を超える行部分を左方に前進させ、表示可能な文字数を増大させている。
【００６４】
本実施の形態によれば、行数が多い場合にチャットメッセージの一部分をメンバー画像の下に回り込ませてチャット画面に表示されるので、メンバー画像の下に無駄なスペースが生じるのを防止することができる。
【００６５】
実施の形態４．
図１０は、本発明の実施の形態４による携帯電話機の要部の一構成例を示したブロック図である。本実施の形態の携帯電話機２０ａは、図１の場合（実施の形態１）と比較すれば、キー入力部２１及び文字サイズ変更部２２を備える点が異なっている。この携帯電話機２０ａでは、チャット画面に表示されるチャットメッセージの文字サイズを変更することができ、この文字サイズの変更に伴って、チャットメッセージの表示可能な行数が変更される。
【００６６】
文字サイズ変更部２２は、チャット画面に表示されるメッセージの文字サイズの変更処理を行っている。文字サイズの変更は、サイズ変更のための制御信号をチャット処理部５ｂへ出力することにより行われ、チャット画面のメッセージ表示領域に表示される文字（チャットメッセージやメンバー名など）の文字サイズが所定の文字サイズに変更される。制御信号は、キー入力部２１におけるユーザの操作入力に基づいて生成される。
【００６７】
ここでは、文字サイズの変更として、標準サイズと、縮小サイズとが択一的に選択可能であるとし、ユーザが縮小サイズを選択指定した場合、標準サイズに比べ表示される文字のフォントサイズが小さくなる。
【００６８】
チャット処理部５ｂは、文字サイズ変更部２２からの制御信号に基づいて、チャット画面に表示させるチャットメッセージの表示可能な行数の変更処理を行っている。このメッセージ表示行数の変更は、チャット画面に表示されるチャットメッセージの文字サイズの変更に対応して行われ、チャット画面のメッセージ表示領域に表示させるチャットメッセージの表示可能行数が所定の行数に変更される。
【００６９】
例えば、チャット画面に表示されるチャットメッセージやメンバー名などの文字のフォントサイズが縮小サイズに変更された場合、メッセージの表示可能行数もこのフォントサイズに応じた行数に増やすことができる。
【００７０】
つまり、ユーザの操作入力によって、チャット画面に表示されるチャットメッセージの文字サイズを変更することができ、この文字サイズの変更に応じてメッセージの表示可能な行数が変更される。
【００７１】
図１１は、図１０の携帯電話機における文字サイズ変更後のチャット画面の表示の一例を示した図である。本実施の形態の携帯電話機２０ａでは、チャット画面に表示されるチャットメッセージ及びメンバー名などの文字サイズを標準サイズ及び縮小サイズのいずれかに切替えることができる。また、文字サイズの変更に伴って、メッセージの表示可能な行数が文字サイズに対応した行数に変更される。
【００７２】
図１１には、文字サイズが縮小された後のチャット画面Ｄ６が示されている。標準サイズでは、メンバー画像の上下方向の高さに対してメッセージの表示可能行数が２行であったのが、縮小サイズでは、表示可能行数が３行となっている。この様に行と行の間隔が詰められるので、文字サイズが縮小された文字を無駄なスペースを生じることなくチャット画面に表示させることができる。
【００７３】
本実施の形態によれば、チャット画面に表示される文字の文字サイズを変更することができるので、メッセージ表示領域内において表示可能な文字数を変更することができる。特に、文字サイズを縮小することによって、チャット画面に同時に表示できる異なるチャットメッセージの数を増やすことができる。そして、チャットメッセージの表示可能行数も文字サイズに合わせて自動的に増加されるので、メッセージ表示領域内に無駄なスペースを生じさせることなく、チャットメッセージの表示を行うことができる。
【００７４】
【発明の効果】
本発明によれば、画像に対応付けて登録メンバーが記憶されるので、画像をチャットメッセージに対応付けてチャット画面に表示することができる。従って、ユーザは、チャットメッセージが誰の発言であるかを容易に識別することができる。特に、小型の表示画面であっても画像で登録メンバーが表示されるので、容易に見分けることができる。
【００７５】
また、本発明によれば、登録メンバーのメールアドレスを入力することにより、電話帳記憶手段に記憶された画像に対応付けてメールアドレスがメンバー記憶手段に記憶されるので、メンバー登録を容易に行うことができる。従って、ユーザ自身がメンバー登録ごとに電話帳記憶手段を検索して画像を選択指定する必要がないので、メンバー登録時の手間が省かれ利便性を向上させることができる。
【００７６】
また、本発明によれば、チャット画面に表示されるチャットメッセージの文字サイズに応じて画像の画像サイズが自動的に変更されるので、チャットメッセージをチャット画面内により多く表示することができる。
【００７７】
また、本発明によれば、チャットメッセージのうち所定の行数を超える部分が画像の下に回り込ませて表示されるので、行数が多い場合に画像の下に無駄なスペースが生じるのを防止することができる。
【００７８】
また、本発明によれば、チャット画面に表示されるチャットメッセージの文字サイズに応じてチャットメッセージの表示可能な行数が自動的に変更されるので、チャットメッセージをチャット画面内により多く表示することができる。
【図面の簡単な説明】
【図１】本発明の実施の形態１による携帯電話機の要部の一構成例を示したブロック図である。
【図２】図１の携帯電話機におけるチャット画面の表示の一例を示した図である。
【図３】ユーザがメニューの選択操作を行ってメンバー登録を行う際の画面表示の一例を示した図である。
【図４】図１の携帯電話機におけるメール受信時の動作の一例を示したフローチャートである。
【図５】図１の携帯電話機におけるメンバー登録時の動作の一例を示したフローチャートである。
【図６】本発明の実施の形態２による携帯電話機の要部の一構成例を示したブロック図である。
【図７】図６の携帯電話機における文字サイズの変更に伴うチャット画面の表示の一例を示した状態遷移図である。
【図８】本発明の実施の形態３による携帯電話機におけるチャット画面の表示の一例を示した図である。
【図９】図１の携帯電話機におけるチャット画面の表示の一例を示した図である。
【図１０】本発明の実施の形態４による携帯電話機の要部の一構成例を示したブロック図である。
【図１１】図１０の携帯電話機における文字サイズ変更後のチャット画面の表示の一例を示した図である。
【図１２】従来の携帯電話機におけるチャット画面の表示の一例を示した図である。
【符号の説明】
１，２０，２０ａ  携帯電話機
２  無線部
３  メール送受信部
３ａ  メール送信部
３ｂ  メール受信部
４  メール記憶部
５，５ａ，５ｂ  チャット処理部
６  メンバー登録部
７  メンバー記憶部
８  電話帳記憶部
９  着信処理部
１０  デフォルト画像記憶部
２１  キー入力部
２２  文字サイズ変更部
２３  画像サイズ変更部
Ｄ１，Ｄ３〜Ｄ６  チャット画面
Ｄ２  メンバー登録画面
ｅｍ  電子メール
ｆｃ  フォーカス
Ｍ１，Ｍ２  サブメニュー
ｍａ  メールアドレス
ｍｐ  メンバー画像
ｐｃ  ピクチャーコール用画像
ｔｎ  電話番号
【図１】
2005018423.tif 000003
【図２】
2005018423.tif 000004
【図３】
2005018423.tif 000005
【図４】
2005018423.tif 000006
【図５】
2005018423.tif 000007
【図６】
2005018423.tif 000008
【図７】
2005018423.tif 000009
【図８】
2005018423.tif 000010
【図９】
2005018423.tif 000011
【図１０】
2005018423.tif 000012
【図１１】
2005018423.tif 000013
【図１２】
2005018423.tif 000014